(57)【要約】  【課題】  複数の映像表示素子を備えながら、信号線の総数が少ない小型軽量の映像表示装置を提供する。  【解決手段】  映像表示装置(2)は、左右の眼に提供する映像を表示する２つの映像表示素子(11L,11R)、映像表示素子(11L,11R)に駆動信号と画素信号を供給する表示素子駆動部(20)、駆動信号を伝送する駆動信号線(31)、および画素信号を伝送する画素信号線(32L,32R)とを有する。画素信号線(32L,32R)は映像表示素子(11L,11R)と同数の２組設けられており、映像表示素子(11L,11R)は個別に画素信号を与えられる。駆動信号線(31)は１組のみ設けられており、映像表示素子(11L,11R)は同一の駆動信号を与えられて、まとめて駆動される。【選択図】      図２
2006030595.tif 000002
【特許請求の範囲】
【請求項１】
複数の画素を有して個々の画素で映像の一部を表示する映像表示素子を複数備える映像表示装置であって、
複数の映像表示素子に画素信号を個別に伝送する複数組の画素信号線と、
複数の映像表示素子に駆動信号を伝送する１組の駆動信号線とを備え、
１組の駆動信号線で複数の映像表示素子をまとめて駆動して、複数の映像を表示することを特徴とする映像表示装置。
【請求項２】
使用者の頭部に装着するための装着部材と、
頭部に装着した使用者に複数の映像表示素子が表示した映像を拡大して提供する光学系
を備えることを特徴とする請求項１に記載の映像表示装置。
【請求項３】
複数の映像表示素子が液晶表示素子またはエレクトロルミネセンス表示素子であることを特徴とする請求項１または請求項２に記載の映像表示装置。
【請求項４】
画素信号線と駆動信号線を介して複数の映像表示素子に画素信号と駆動信号を供給する駆動部を備え、
複数の映像表示素子のうち最も駆動部に近いものと駆動部との距離が、複数の映像表示素子間の最短距離よりも長いことを特徴とする請求項１から請求項３までのいずれか１項に記載の映像表示装置。
【請求項５】
画素信号線と駆動信号線の少なくとも一部が、絶縁材で被覆された導体線であり、束ねられて１本のケーブルを成していることを特徴とする請求項４に記載の映像表示装置。
【請求項６】
画素信号線と駆動信号線との少なくとも一部が、フレキシブル基板に設けられていることを特徴とする請求項４に記載の映像表示装置。
【発明の詳細な説明】
【技術分野】
【０００１】
本発明は複数の映像表示素子を備える映像表示装置に関する。
【背景技術】
【０００２】
近年、エレクトロニクス技術、映像技術の発展に伴い、様々な映像情報を表示する携帯式の映像表示装置が広く使われるようになってきた。携帯式の映像表示装置の用途は、テレビ放送の受信表示、映画、演劇等の字幕の表示、ナビゲーション情報の表示、作業支援情報の表示、博物館、美術館等の展示館における説明の表示、遊園地、テーマパークにおけるアトラクション映像や案内の表示等、多岐にわたる。
【０００３】
このような携帯式の映像表示装置では、左眼用と右眼用に視差のある２つの映像を表示して、臨場感の高い立体映像を提供することや、左右の眼に提供する映像の間隔を使用者の眼幅に合わせて変えることも行われている。特に、頭部装着型の映像表示装置は、装着者に対してのみ映像を提示するため秘匿性が高く、また、両手を自由に使えるという長所がある。
【０００４】
携帯式の映像表示装置は、小型軽量であることが望ましく、このため、一般に、小さな映像表示素子と、その映像表示素子が表示した映像を拡大して提供する観察光学系とで構成される。このような映像表示素子としては、液晶表示（ＬＣＤ）素子やエレクトロルミネセンス（ＥＬ）表示素子が適している。
【０００５】
これらの表示素子は、前者が与えられる照明光を変調することにより映像を表す光を生成し、後者が映像を表す光を直接発するという違いがあるものの、２次元に配列された多数の画素を有して、各画素で映像の一点を表し、画素の集合で映像全体を表すという点で共通している。これらの表示素子には、駆動に必要な駆動信号に加え、表示する映像を表す、つまり、各画素の状態を指定する画素信号が与えられる。駆動信号や画素信号は、映像表示素子とは別に設けられた駆動部から供給される。
【０００６】
液晶表示素子やエレクトロルミネセンス表示素子を駆動するために必要な駆動信号は１種類ではなく、したがって、駆動信号を映像表示素子に伝送する駆動信号線は駆動信号に応じた数、例えば１０本、備えられる。また、画素信号を映像表示素子に伝送する画素信号線も複数備えられることがある。左右の眼に異なる映像を提供するために映像表示素子を２つ備える映像表示素子では、駆動部と各映像表示素子との間に１組の駆動信号線と１組の画素信号線が配設されている。
【発明の開示】
【発明が解決しようとする課題】
【０００７】
頭部装着型の映像表示装置の場合、映像表示素子は、眼前、額付近あるいは頬付近に配置されるが、装置の前部のみが重くなると装着感が悪くなる。したがって、映像表示素子に駆動信号や映像信号を供給する駆動部は映像表示素子から離して、例えば後頭部付近あるいは頭部以外に配置するのが好ましい。そのような配置では、駆動信号線と画素信号線を長くする必要が生じる。
【０００８】
ところが、映像表示素子を複数備える映像表示装置では、各映像表示装置を個別に駆動部に接続すると、駆動部と映像表示素子との間に映像表示装置の数に等しい組数の駆動信号線と画素信号線が配設されることになり、信号線の総数が多くなる。信号線の数が多くなると、装置の重量が増し、また、信号線が占める空間が多くなって、小型化も難しくなる。さらに、取り扱い易くするために信号線を束ねて１本のケーブルにしようとしても、太く撓み難いケーブルになってしまい、その目的を達成することは困難である。
【０００９】
信号線に起因する上記の問題は、映像表示素子の数が多くなるほど顕著になる。また、この問題は、あらゆる携帯式映像表示装置において生じ得るが、頭部装着型の映像表示装置では、装着感の低下を招くことになって、特に好ましくない。
【００１０】
複数の映像表示素子を備えるのは、複数の映像、特に異なる映像を同時に表示し得るようにするためであるから、画素信号線は映像表示素子の数に等しい組数が必要である。一方、必ずしも複数の映像表示素子を個別に駆動する必要はなく、まとめて駆動することも可能である。複数の映像表示素子をまとめて駆動しても、同一または異なる複数の映像を同時に表示することはできる。
【００１１】
特開平８−４７０００号には、複数のカメラのクロック信号を共通化して、撮像動作を同期させることが開示されている。しかし、複数の映像表示素子をまとめて駆動し、しかも複数の映像を表示することは、これまで提案されていない。
【特許文献１】特開平８−４７０００号公報
【００１２】
本発明は、このような現状に鑑みてなされたもので、複数の映像表示素子を備えながら、信号線の総数が少ない小型軽量の映像表示装置を提供することを目的とする。
【課題を解決するための手段】
【００１３】
上記目的を達成するために、本発明では、複数の画素を有して個々の画素で映像の一部を表示する映像表示素子を複数備える映像表示装置は、複数の映像表示素子に画素信号を個別に伝送する複数組の画素信号線と、複数の映像表示素子に駆動信号を伝送する１組の駆動信号線とを備え、１組の駆動信号線で複数の映像表示素子をまとめて駆動して、複数の映像を表示するものとする。
【００１４】
この映像表示装置は、複数の映像表示素子を備えるものでありながら、駆動信号線は、映像表示素子を１つのみ備える装置と同様に、１組のみである。したがって、駆動信号線による重量の増加や必要な空間の増加が抑えられ、小型軽量となる。一方、画素信号線は映像表示素子と同数あり、各映像表示素子には画素信号を個別に伝送することができるので、異なる映像を同時に表示することも可能である。
【００１５】
上記映像表示素子は、使用者の頭部に装着するための装着部材と、頭部に装着した使用者に複数の映像表示素子が表示した映像を拡大して提供する光学系を備える構成とすることができる。
【００１６】
また、複数の映像表示素子は液晶表示素子またはエレクトロルミネセンス表示素子とすることができる。
【００１７】
画素信号線と駆動信号線を介して複数の映像表示素子に画素信号と駆動信号を供給する駆動部を備え、複数の映像表示素子のうち最も駆動部に近いものと駆動部との距離が、複数の映像表示素子間の最短距離よりも長い構成とするとよい。このようにすると、重量が分散されて、頭部装着型とするのに適したバランスのよい装置となる。
【００１８】
画素信号線と駆動信号線の少なくとも一部が、絶縁材で被覆された導体線であり、束ねられて１本のケーブルを成している構成とすることができる。このようにしても、信号線の総数が少ないためケーブルがあまり太くならず、取り扱いは容易である。
【００１９】
画素信号線と駆動信号線との少なくとも一部が、フレキシブル基板に設けられている構成とすることもできる。このようにすると、一層小型軽量の装置となる。
【発明の効果】
【００２０】
本発明の映像表示装置は、駆動信号線を必要最小限の１組のみ備えるので、駆動信号線による重量の増加や必要な空間の増加が抑えられ、小型軽量となる。その一方、各映像表示素子に画素信号を個別に伝送することができるので、異なる映像を同時に表示することも可能である。
【発明を実施するための最良の形態】
【００２１】
以下、本発明の実施形態について図面を参照しながら説明する。第１の実施形態の映像表示装置１の回路構成を図１に模式的に示す。映像表示装置１は、使用者の左右の眼に同じ映像を同時に映像を提供するもので、左眼用の映像を表示する映像表示素子１１Ｌと右眼用の映像を表示する映像表示素子１１Ｒとを含む表示部１０と、映像表示素子１１Ｌ、１１Ｒに駆動信号と画素信号を供給する表示素子駆動部２０を備える。
【００２２】
映像表示素子１１Ｌ、１１Ｒは、液晶表示素子であり、２次元に配列された多数の画素を有し、各画素で映像の１点を表し、画素の集合で映像全体を表す。映像表示素子１１Ｌ、１１Ｒの各画素の液晶層は、与えられる照明光を映像（の一点）を表す映像光とする状態と、映像光以外の不要光とする状態をとり、表示素子駆動部２０から与えられる画素信号によって状態が切り替えられる。なお、映像表示素子１１Ｌ、１１Ｒは、偏光方向が異なる映像光と不要光のうち、映像光のみを透過させる偏光板を備えている（不図示）。
【００２３】
映像表示素子１１Ｌ、１１Ｒは、表示素子駆動部２０から与えられる駆動信号によって動作する。例えば、各画素の状態の切り替えのタイミングは、駆動信号によって示される。
【００２４】
表示素子駆動部２０は、デコーダ２１、フレームバッファ２２、フレームバッファコントローラ２３、タイミングジェネレータ２４、および映像処理部２５より成る。デコーダ２１は、外部より与えられる映像信号から映像を表す映像データを取り出す。フレームバッファ２２は、デコーダ２１によって取り出された映像データを１フレーム分ずつ蓄える。フレームバッファコントローラ２３は、フレームバッファ２２の入出力を司る。
【００２５】
タイミングジェネレータ２４は、映像表示素子１１Ｌ、１１Ｒに供給する駆動信号を生成する。駆動信号は多種あり、例えば、システムクロック、水平クロック、垂直クロック、水平同期、垂直同期、映像表示イネーブル等の信号が含まれる。
【００２６】
駆動信号は、タイミングジェネレータ２４から駆動信号線３１を介して映像表示素子１１Ｌ、１１Ｒに伝送される。駆動信号線３１は、駆動信号の種類に応じた数だけ備えられている。ただし、駆動信号線３１は、１組のみ設けられており、映像表示素子１１Ｌ、１１Ｒの近傍で分岐して、映像表示素子１１Ｌと映像表示素子１１Ｒとに接続されている。したがって、映像表示素子１１Ｌ、１１Ｒは同一の駆動信号を与えられ、まとめて駆動される。
【００２７】
タイミングジェネレータ２４は、また、フレームバッファコントローラ２３に、映像データの出力を指示するトリガ信号を与える。
【００２８】
映像処理部２５は、フレームバッファコントローラ２３を介してフレームバッファ２２から出力される映像データを処理して、映像表示素子１１Ｌ、１１Ｒに供給する画素信号を生成する。なお、タイミングジェネレータ２４はトリガ信号を駆動信号に同期させて出力し、映像処理部２５が出力する画素信号とタイミングジェネレータ２４が出力する駆動信号は同期がとられる。
【００２９】
画素信号は、映像処理部２５から画素信号線を介して映像表示素子１１Ｌ、１１Ｒに伝送される。駆動信号線３１が１組であるのに対し、画素信号線は、映像表示素子１１Ｌ、１１Ｒの数と同じ組数（つまり２組）備えられており、映像表示素子１１Ｌ用の画素信号は画素信号線３２Ｌによって、映像表示素子１１Ｒ用の画素信号は画素信号線３２Ｒによって、個別に伝送される。
【００３０】
画素信号は、デジタル信号としてもよいしアナログ信号としてもよい。デジタル信号の場合、映像の１点の階調を複数のビットで表すため信号は複数になり、映像表示素子１１Ｌ、１１Ｒへの伝送効率を高めるためには、これらの信号を同時に出力するのが望ましい。ただし、時間をずらして各信号を伝送することも可能である。アナログ信号の場合、映像の１点を１信号で表すことができるが、伝送効率を高めるために、複数の信号を同時に伝送することも可能である。つまり、画素信号をデジタル信号とする場合もアナログ信号とする場合も、各画素信号線３２Ｌ、３２Ｒは単数または複数のいずれともすることができる。
【００３１】
なお、映像表示装置１では、２組の画素信号線３２Ｌ、３２Ｒによって映像表示素子１１Ｌ、１１Ｒに画素信号を個別に伝送するが、画素信号線３２Ｌ、３２Ｒが伝送する画素信号は同じであり、したがって、映像表示素子１１Ｌ、１１Ｒが表示する映像は同じである。この構成は、文字等の平面的なものを映像として表示するのに適する。
【００３２】
第２の実施形態の映像表示装置２の回路構成を図２に模式的に示す。映像表示装置２は、映像表示装置１を修飾して、使用者の左右の眼に異なる映像を同時に提供するようにしたものである。このため、左眼用の映像信号と右眼用の映像信号からそれぞれ映像データを取り出す２つのデコーダ２１Ｌ、２１Ｒ、デコーダ２１Ｌ、２１Ｒが取り出した映像データをそれぞれ１フレーム分ずつ蓄える２つのフレームバッファ２２Ｌ、２２Ｒ、フレームバッファ２２Ｌ、２２Ｒの入出力を司る２つのフレームバッファコントローラ２３Ｌ、２３Ｒを備える。
【００３３】
また、タイミングジェネレータ２４は、フレームバッファコントローラ２３Ｌ、２３Ｒの双方に、映像データの出力を指示するトリガ信号を与える。さらに、映像処理部２５は、フレームバッファコントローラ２３Ｌを介してフレームバッファ２２Ｌから出力される映像データを処理して、映像表示素子１１Ｌに供給する画素信号を生成し、フレームバッファコントローラ２３Ｒを介してフレームバッファ２２Ｒから出力される映像データを処理して、映像表示素子１１Ｒに供給する画素信号を生成する。
【００３４】
１組の駆動信号線３１が備えられ、映像表示素子１１Ｌ、１１Ｒの数と同じ組数（つまり２組）の映像信号線３２Ｌ、３２Ｒが備えられている点は、映像表示装置１と同様である。
【００３５】
映像表示装置２では、左右の眼に全く異なる映像を提供することも、左右の眼に視差のある映像を提供して立体的に観察されるようにすることも可能である。当然、左右の眼に同じ映像を提供することもできる。
【００３６】
上記の各実施形態の映像表示装置１、２の外観を図３に示す。映像表示装置１、２は、映像表示素子１１Ｌ、１１Ｒをそれぞれ収容した筐体５１Ｌ、５１Ｒ、映像表示素子１１Ｌ、１１Ｒからの光をそれぞれ左右の眼に導いて、映像表示素子１１Ｌ、１１Ｒが表示した映像の拡大像を提供する観察光学系４０Ｌ、４０Ｒ、観察光学系４０Ｌ、４０Ｒを連結するブリッジ５２、観察光学系４０Ｌ、４０Ｒに取り付けられたテンプル５３Ｌ、５３Ｒ、ブリッジ５２に取り付けられた鼻当て５４Ｌ、５４Ｒ、および表示素子駆動部２０と電源（電池）を収容した制御ボックス５９を備えており、制御ボックス５９を除いて眼鏡の如き形状を有し、使用者の頭部に装着される。
【００３７】
装着時には、テンプル５３Ｌ、５３Ｒが側頭部で支持され、鼻当て５４Ｌ、５４Ｒが鼻の側部で支持されて、観察光学系４０Ｌ、４０Ｒがそれぞれ左右の眼の直前に位置し、筐体５１Ｌ、５１Ｒが観察光学系４０Ｌ、４０Ｒの上方に位置する。なお、制御ボックス５９は、使用者の頭部以外の部位、例えば腰部に装着される。制御ボックス５９を衣服のポケットに収容することも可能である。
【００３８】
観察光学系４０Ｌ、４０Ｒは、透明板４１Ｌ、４１Ｒとホログラフィック素子（ＨＯＥ）４２Ｌ、４２Ｒより成る。筐体５１Ｌ、５１Ｒは、透明板４１Ｌ、４１Ｒの上端部に固定されている。
【００３９】
また、制御ボックス５９と筐体５１Ｒの間にはケーブル５５が設けられており、筐体５１Ｒと筐体５１Ｌの間にもケーブル５６が設けられている。ケーブル５５は、それぞれ絶縁材で被覆した駆動信号線３１と画素信号線３２Ｌ、３２Ｒと電源線を束ねて１本にしたものであり、ケーブル５６は、それぞれ絶縁材で被覆した駆動信号線３１と画素信号線３２Ｌと電源線を束ねて１本にしたものである。駆動信号線３１は筐体５１Ｒ内で分岐している。
【００４０】
筐体５１Ｒの内部と観察光学系４０Ｒの断面を図４に示す。筐体５１Ｒには、映像表示素子１１Ｒのほかに、液晶表示器である映像表示素子１１Ｒを照明するための照明光を発する光源１２Ｒと、光源１２Ｒからの照明光を映像表示素子１１Ｒに導く照明光学系１３Ｒが収容されている。光源１２Ｒは、例えば、発光ダイオードであり、照明光学系１３Ｒは、例えば、凸レンズである。光源１２Ｒ、照明光学系１３Ｒは、表示部１０の一部を成す。
【００４１】
観察光学系４０Ｒの透明板４１Ｒの後面（眼に近い面）は平面であり、透明板４１Ｒの前面（眼から遠い面）も、上端部を除き平面である。これらの２平面は平行であり、透明板４１Ｒは上端部を除いて平行平板となっている。前面の上端部付近は、上端に近づくほど後面から離れており、透明板４１Ｒの上端部はくさび状となっている。筐体５１はこの上端部に取り付けられている。
【００４２】
透明板４１Ｒは、上下方向に長い部材４１ａと、部材４１aを左右および下から囲む形状の部材４１ｂとを接合することによって作製されている。これらの部材４１ａ、４１ｂは同じ材料から成り、屈折率等の光学特性に差異はない。部材４１ａの下端面は後面と前面に対して傾斜しており、この下端面にホログラフィック素子４２Ｒが設けられている。つまり、ホログラフィック素子４２Ｒは２つの部材４１ａ、４１ｂによって挟まれた状態となっている。
【００４３】
映像表示素子１１Ｒからの光は、透明板４１Ｒの上端面を透過して、透明板４１Ｒの内部に入る。映像表示素子１１Ｒ、光源１２Ｒ、および照明光学系１３Ｒは、透明板４１Ｒに入った光が、透明板４１Ｒの後面で全反射されるように、向きを設定されており、透明板４１Ｒに入った光は、後面と前面とで全反射されながら下方に進み、ホログラフィック素子４２Ｒに達する。
【００４４】
ホログラフィック素子４２Ｒは、透明板４１Ｒ内を通って入射する映像表示素子１１Ｒからの光を回折反射して、後面より出射させるとともに、映像表示素子１１Ｒが表示した映像の拡大虚像を射出瞳ＥＲにおいて観察し得るように設定されている。射出瞳ＥＲから虚像までの距離は、例えば１ｍである。透明板４１Ｒは外界からの光を透過させるから、映像表示装置１を装着した使用者は外界を観察することも可能であり、映像（虚像）は外界の一部に重なって観察される。
【００４５】
なお、ここでは、右眼に映像を提供するための構成について説明したが、左眼に映像を提供するための構成も同じである。また、観察光学系４０Ｌ、４０Ｒの光軸は、左右の眼に提供する２つの映像（虚像）が重なり合うように設定されており、これにより、使用者が違和感を覚えることなく映像を観察し得る輻輳が実現されている。
【００４６】
制御ボックス５９と筐体５１Ｒとを接続するケーブル５５は、数十ｃｍの長さであるが、駆動信号線３１が１組のみであるので軽く、また、細く撓み易い。したがって、映像表示装置１、２の頭部への装着感は良く、制御ボックス５９も、身体の特定部位に限らず、任意の部位に装着することができる。
【００４７】
映像表示装置１、２の変形例の外観を図５示す。これは、制御ボックス５９を、必要最小限の大きさにして、テンプル５３Ｒに取り付けたものでものである。制御ボックス５９は、筐体５１Ｌ、５１Ｒまでの距離が、筐体５１Ｌ、５１Ｒ相互間の距離よりも長くなる位置に配置されている。このような配置とすることで、重量を分散させることができて、制御ボックス５９をも頭部に装着する構成でありながら、高い装着感が得られる装置となる。
【００４８】
映像表示装置１、２の別の変形例の外観を図６に示し、表示素子駆動部２０と映像表示素子１１Ｌ、１１Ｒとを接続する構成を図７に示す。これは、駆動信号線３１、画素信号線３２Ｌ、３２Ｒ、および電源線を絶縁材で被覆された導体線とすることに代えて、フレキシブル基板５７、５８に設けたものである。駆動信号線３１は、筐体５１Ｒ内で分岐している。制御ボックス５９は図５に示したものと同様に、テンプル５３Ｒに取り付けられており、制御ボックス５９と筐体５１Ｒとを接続するフレキシブル基板５７の大部分は、テンプル５３Ｒに内蔵されている。
【００４９】
駆動信号線３１が１組のみなので、フレキシブル基板５７を細くすることが容易であり、その結果、このような配置とすることが可能になっている。
【００５０】
なお、上記の各実施形態では、映像表示素子１１Ｌ、１１Ｒとして、液晶表示素子を用いた例を掲げたが、エレクトロルミネセンス表示素子を採用することも可能である。エレクトロルミネセンス表示素子を採用すれば、照明光が不要になる上、一層コントラストの高い高品位の映像を提供することができる。観察光学系４０Ｌ、４０Ｒの構成に制約はなく、ここに示した透明板４１Ｌ、４１Ｒとホログラフィック素子４２Ｌ、４２Ｒから成る光学系とすることに代えて、レンズを含む光学系やハーフミラーを含む光学系とすることも可能である。
【００５１】
さらに、ここでは左右の眼それぞれに対して１つの映像表示素子を備える構成としたが、一方の眼に対して複数の映像表示素子を備えて、各映像表示素子で同一映像の異なる部位を表示する、いわゆる多眼映像表示装置とすることもできる。その場合も、駆動信号線を１組のみ備えて、全ての映像表示素子をまとめて駆動することで、信号線の総数の増加を抑えることができる。
【図面の簡単な説明】
【００５２】
【図１】第１の実施形態の映像表示装置の回路構成を模式的に示す図。
【図２】第２の実施形態の映像表示装置の回路構成を模式的に示す図。
【図３】第１、第２の実施形態の映像表示装置の外観を示す図。
【図４】第１、第２の実施形態の映像表示装置の表示部および観察光学系の構成を模式的に示す断面図。
【図５】第１、第２の実施形態の映像表示装置の変形例の外観を示す図。
【図６】第１、第２の実施形態の映像表示装置の別の変形例の外観を示す図。
【図７】図６の変形例における表示素子駆動部と映像表示素子とを接続するための構成を模式的に示す図。
【符号の説明】
【００５３】
１、２  映像表示装置
１０    表示部
１１Ｌ、１１Ｒ  映像表示素子
１２Ｒ  光源
１３Ｒ  照明光学系
２０    表示素子駆動部
２１、２１Ｌ、２１Ｒ  デコーダ
２２、２２Ｌ、２２Ｒ  フレームバッファ
２３、２３Ｌ、２３Ｒ  フレームバッファコントローラ
２４    タイミングジェネレータ
２５    映像処理部
３１    駆動信号線
３２Ｌ、３２Ｒ  画素信号線
４０Ｌ、４０Ｒ  観察光学系
４１Ｌ、４１Ｒ  透明板
４２Ｌ、４２Ｒ  ホログラフィック素子
５１Ｌ、５１Ｒ  筐体
５２    ブリッジ
５３Ｌ、５３Ｒ  テンプル
５４Ｌ、５４Ｒ  鼻当て
５５、５６  ケーブル
５７、５８  フレキシブル基板
５９    制御ボックス
【図１】
2006030595.tif 000003
【図２】
2006030595.tif 000004
【図３】
2006030595.tif 000005
【図４】
2006030595.tif 000006
【図５】
2006030595.tif 000007
【図６】
2006030595.tif 000008
【図７】
2006030595.tif 000009